(57)【要約】  本発明は、１つ以上のキャビティを備える細胞培養プレートの全面画像を記録するための装置１に関し、この装置１は、細胞培養プレート５０を受けるためのホルダー４０であって、細胞培養プレートは、底面５１と、上面５２と、底面と上面との間に延在する複数の側面とを備える、ホルダー４０と、所定の被写界深度内の細胞培養プレートの底面の画像を記録するよう機能するカメラ２０と、細胞培養プレートを照明するための照明機器３０とを備え、照明機器は複数の光源を備える。細胞培養プレートの使用位置で、第一、第二、第三、および第四光源の光が、外側から第一、第二、第三、おおび第四側面の全長を透過して細胞培養プレートに入る。放たれた光線の強度と、細胞培養プレートに対する放たれた光線の鉛直高さと、それぞれの側面からの光源の水平距離と、軸線に対する放たれた光線の傾斜角は、照明機器の調節手段によって各光源に対して個別に調節可能である。
2020501138.tif 000002
【特許請求の範囲】
【請求項１】
１つ以上のウェルを備える細胞培養プレートの全面画像を記録するための装置（１）であって、
−  ウェル（５７）を備える前記細胞培養プレート（５０）を受けるためのホルダー（４０）であって、前記細胞培養プレート（５０）は、底面（５１）と、上面（５２）と、前記底面（５１）と前記上面（５２）との間に延在する複数の側面とを備える、ホルダー（４０）と、
−  所定の被写界深度内の前記細胞培養プレート（５０）の前記底面（５１）の画像を記録するよう機能するカメラ（２０）と、
−  前記細胞培養プレート（５０）を照明するための照明機器（３０）と、
を備え、
前記照明機器（３０）は、光線を放つための複数の光源を備え、
前記細胞培養プレート（５０）の使用位置で、
−  第一光源（３１）の光が、外側から第一側面（５３）の全長を透過して細胞培養プレート（５０）に入り、
−  第二光源（３２）の光が、外側から第二側面（５４）の全長を透過して細胞培養プレート（５０）に入り、
−  第三光源（３３）の光が、外側から第三側面（５５）の全長を透過して細胞培養プレート（５０）に入り、
−  第四光源（３４）の光が、外側から第四側面（５６）の全長を透過して細胞培養プレート（５０）に入り、
前記放たれた光線の強度と、前記細胞培養プレートに対する前記放たれた光線の鉛直高さと、それぞれの前記側面からの前記光源の水平距離と、軸線（３８）に対する前記放たれた光線の傾斜角は、前記照明機器（３０）の調節手段によって各光源（３１〜３４）に対して個別に調節可能である、ことを特徴とする装置。
【請求項２】
前記第一光源（３１）は、前記第一光源（３１）の実効長にわたって均一な光を放つためのフレスネルレンズ配置を備える、ことを特徴とする請求項１に記載の装置（１）。
【請求項３】
各光源および／または前記光源を固定するためのホルダーは、前記照明機器（３０）を調節するための１つ以上の制御器と連結されている、ことを特徴とする請求項１または２に記載の装置（１）。
【請求項４】
前記照明機器（３０）を調節するための前記制御器は、前記照明機器の調節方法を実行するように構成されている、ことを特徴とする請求項１〜３のいずれか一項に記載の装置（１）。
【請求項５】
前記第一光源（３１）は、前記第一側面（５３）に隣接して側方に配置されている、ことを特徴とする請求項１〜４のいずれか一項に記載の装置（１）。
【請求項６】
前記放たれた光線の強度と、前記細胞培養プレートに対する前記放たれた光線の鉛直高さと、それぞれの前記側面からの前記光源の水平距離と、軸線（３８）に対する前記放たれた光線の傾斜角は、前記細胞培養プレートが前記底部から前記所定の被写界深度までを照明されるように各光源（３１〜３４）に対して設定される、ことを特徴とする請求項１〜５のいずれか一項に記載の装置（１）。
【請求項７】
前記第一光源（３１）から出る光線の鉛直高さは、２〜６ｍｍである、ことを特徴とする請求項１〜６のいずれか一項に記載の装置（１）。
【請求項８】
前記ホルダー（４０）は複数の受け隅部を備え、第一受け隅部（４１）は、前記第一側面（５３）の一端を受けるよう機能し、第二受け隅部（４２）は、前記第一側面（５３）の反対端を受けるよう機能し、前記第一受け隅部（４１）と前記第二受け隅部（４２）との間の距離は、前記第一側面（５３）に沿って延在するウェル（５７）の行または列の長さより長い、ことを特徴とする請求項１〜７のいずれか一項に記載の装置（１）。
【請求項９】
前記カメラ（２０）は、テレセントリックレンズ（２１）を備える、ことを特徴とする請求項１〜８のいずれか一項に記載の装置（１）。
【請求項１０】
前記カメラは画像センサーを備え、前記細胞培養プレート（５０）および／または前記画像センサーは、前記細胞培養プレートが前記画像センサーに対して全方向において平行に調節されるように、全方向において互いに対して調節可能である、ことを特徴とする請求項１〜９のいずれか一項に記載の装置（１）。
【請求項１１】
水性試験における線虫および他生物に対する活性成分の効果を立証する目的のため、前記細胞培養プレートの前記ウェルは、活性成分を含んでも含まなくても水溶液中の線虫および他生物で充填される、ことを特徴とする請求項１〜１０のいずれか一項に記載の装置（１）。
【請求項１２】
請求項１〜１１のいずれか一項に記載の装置（１）の前記照明機器（３０）の調節方法であって、前記細胞培養プレートに対する、各光源の相対的高さ、各光源の傾斜角、および各光源の光強度は、前記細胞培養プレート（５０）の個々の前記ウェル（５７）の良好な照明と、前記細胞培養プレートの均一な照明とを得るために個別に設定される、ことを特徴とする方法。
【請求項１３】
前記カメラ（２０）は、前記照明された細胞培養プレート（５０）上の平面にある単色シートの画像を作成し、前記画像の評価に基づいて前記調節を実行する、よう使用されることを特徴とする請求項１２に記載の方法。
【請求項１４】
前記光強度のヒストグラムは前記画像から作成され、前記照明機器（３０）の調節手段の制御を目的とした調節は、前記ヒストグラムが最小幅を有するまでこのヒストグラムに基づいて実行される、ことを特徴とする請求項１３に記載の方法。
【発明の詳細な説明】
【技術分野】
【０００１】
本発明は、水性試験における線虫および他生物に対する活性成分の効果を立証するための装置に関する。さらに、本発明は、該装置の照明機器の調節方法に関する。
【背景技術】
【０００２】
線虫（回虫）の多くの種は、これらが根系に入り込む結果として植物代謝を大きく損ない得るので、これらは農業病害虫である。様々な化学物質、いわゆる殺線虫剤は、線虫による攻撃に対して既に開発されてきた。しかしながら、線虫を効果的に防除することができるさらなる活性成分を識別する要望が高い。
【０００３】
国際公開第２０１６／１１６２９１（Ａ１）号は、線虫に対する活性成分の効果を立証するための装置を開示しており、これによって、非常に多数の活性成分を短期間で試験することができる。このとき、線虫および種々の活性成分で充填された細胞培養プレートの個々のウェルが同時に検査される。装置のホルダーにより保持された細胞培養プレートは、底面、上面および該細胞培養プレートの底面と上面の間に延在する４つの側面を備える。装置は、細胞培養プレートの底面、したがって、同時に全ウェルの画像を記録するよう機能するカメラを備える。装置の照明機器は、細胞培養プレートを照明する２つの対向する光源を備える。
【０００４】
国際公開第２０１６／１１６２９１（Ａ１）号からの装置の応用は、イヌ糸状虫などの非常に小さな回虫を検査する場合にその限界に達することが分かった。装置の解像度を増強することができるが、原理的に、対応してより高解像カメラを選択することにより細胞培養プレートの照明の不均一性は、もはや比較的高解像度の場合にソフトウェアによって満足できる程度まで補正することができないと分かった。結果的に、活性成分の効果の信頼あり頑強な立証は、非常に小さな生物の場合もはや可能でない。
【発明の概要】
【０００５】
したがって、本発明は、イヌ糸状虫などの非常に小さな生物の場合でさえ、活性成分の効果の信頼できる立証によって、線虫および他生物に対する活性成分の効果を立証するための装置を提供することの目的に基づく。
【０００６】
本発明の目的は、請求項１による装置の使用により達成する。本発明の例となる実施形態は、請求項１に関連する従属クレームから集めることができる。
【発明を実施するための形態】
【０００７】
本発明による装置は、いずれの場合にも、外側から第一側面を透過して細胞培養プレートに入る第一光源の光、外側から第二側面を透過して細胞培養プレートに入る第二光源の光、外側から第三側面を透過して細胞培養プレートに入る第三光源の光、および外側から第四側面を透過して細胞培養プレートに入る第四光源の光によって識別される。結果的に、光は、全側面からの細胞培養プレート内部に入る。原理的に、本発明の意味において細胞培養プレートの均一な照明は、この手段の結果として可能となる。結果的に、非常に小さな生物に対してさえ、活性成分の効果を、対応する有力なカメラの場合に細胞培養プレートにおいて検査することができる。結果的に、３０μｍより優れた解像度の場合に頑健な結果を得ることが可能である。１つの例となる実施形態では、解像度は、２０μｍより優れており、例えば、１５μｍである。
【０００８】
光強度を、第一光源に対して個別に設定することができる。これは、同様に、第二光源、第三光源および第四光源にも当てはまる。例として、第二光源または他の光源の光強度と独立して、第一光源の光強度を設定することが結果的に可能である。結局のところ、この４つの光源は、このように、いずれの場合にも、異なる光強度で細胞培養プレートに光を発光することができる。
【０００９】
第一光源を、第一側面に隣接して側方に配置することができるので、細胞培養プレート（この場合、細胞培養プレートは水平面に延在する）の使用位置では、第一光源の光線は、実質的に水平方向に、第一側面を透過して細胞培養プレート中に達する。結果的に、可能な偏光ミラーまたは他の光偏光を省くことができる。
【００１０】
第一光源に関する説明は、同様に、他の光源にも当てはまるべきである。したがって、例えば、第二光源も、第二側面に隣接して側方に配置することができる。第一光源に関する特徴および下記特徴は、残りの光源の１つの光源において、残りの光源のいくつかにおいて、さもないと残りの光源の全てにおいても実行することができる。
【００１１】
本発明は、いずれも場合にも、２つの平行な側面を備える四角形の基本形状を有する四角形細胞培養プレートを想定している。例として、短辺（短い側面）に対する長辺（長い側面）の比は、３〜２であり得る。通常、互いに平行に配置された複数の行に、ウェルは配置されている。例として、細胞培養プレートは、各場合に１２個のウェルを備える８行を有することができる。通常、ＡＮＳＩ規格に従って、６個、１２個、２４個、９６個または３８４個のウェルを備える四角形のマイクロプレートを使用する。
【００１２】
本発明は、非常に小さな生物を検査する場合に要する細胞培養プレートの全ウェルの良好な照明を、光が全側面から細胞培養プレート中に入る場合に照明機器によって実行することができるという発見に基づく。しかしながら、その対応する基本形状は現状めったに見られない六角形細胞培養プレートの場合、全６側面を、本発明により光照射しなければならないだろう。三角形細胞培養プレートの場合、３つのみの光源の使用で充分であろう。
【００１３】
通常、側面は、光透過性壁を有する、細胞培養プレートの上面および底面の間に延在する。
【００１４】
通常、第一光源は、大側面全体にわたって広がり、この結果、第一側面の均一な照射が可能である。
【００１５】
１つの例となる実施形態では、細胞培養プレートに対する鉛直高さ、自体の軸線に対する傾斜角および／または第一側面からの水平距離を、照明機器の調節手段によって第一光源に対して個別に設定することができる。
【００１６】
細胞培養プレートの照明を、各光源の柔軟性があり個別に調節可能な設定の結果として最適化することができる。このとき、空間的に見れば、各光源は三次元（高さ、水平距離、傾斜角）で調節可能である。加えて、４番目の次元、詳細には光強度を設定することができる。側面の各々の光源の精密な個別設定は、四角形基本形状を有する対照的な細胞培養プレートの場合でさえ、測定の質にとって非常に重要である。
【００１７】
好ましくは、各光源を制御器と連結する。特に好ましくは、各光源を、該制御器または別の制御器と連結したホルダー上に組立てる。
【００１８】
第一光源から出る光線の鉛直高さは、２〜６ｍｍ、好ましくは３〜５ｍｍであり得る。第一光源の側方配置の場合、傾斜角のないこの光線は、第一側面を透過して、すなわち、上面と底面の間を水平方向に細胞培養プレート中に入る。
【００１９】
好ましくは、光線の開口角は、例えば、細胞培養プレートの個々のウェルを覆うカバーフィルムが照射されず、結果的に干渉効果を引き起こすことができないように非常に小さい。しかしながら、例えば、細胞培養プレートの小さな垂直部分のみがカメラにより焦点が合って撮像するので、カバーフィルムが位置する細胞培養プレートの平面はもはや焦点が合ってない場合、開口角のより大きな値も許容することができる。この実施形態では、細胞培養プレートを底部からレンズにより規定される被写界深度までのみ照射するように、全入射光を維持する。光反射を避けるために、カバーまたは保護フィルムを、好ましくは照明しない。
【００２０】
好ましくは、自動的に照明機器の調節方法を実行するように制御器を構成する。
【００２１】
第一光源は、互いに隣り合って配置された多くの発光ダイオード（ＬＥＤ）を備えることができる。第一光源の実効長にわたって均一な光を放つために、第一光源は、フレスネルレンズ配置を有することができる。このフレスネルレンズ配置の結果として、第一光源は、光源の軸線方向にわたって見られる場合その強度が一定である光線を結果的に発光している。
【００２２】
細胞培養プレートのためのホルダー（ＭＴＰホルダーとも呼ぶ）は、複数の受け隅部（receiving corner）、第一側面の一端を受けるよう機能する第一受け隅部および第一側面の反対端を受けるよう機能する第二受け隅部を有する。このとき、第一受け隅部と第二受け隅部の間の距離は、好ましくは、第一側面に沿って延在するウェルの行の長さより長い。第一光源の光は、結果的に、ウェルの行の全長にわたって妨げられていない細胞培養プレートに入る。好ましくは、第一光源の光が細胞培養プレート中に妨げられず、かつ、影にならずに入るのを促進するために、第一光源と細胞培養プレートの第一側面の間に配置されている他の傷害物がないように、ホルダーを具体化する。
【００２３】
細胞培養プレートの輪郭における画像の遠近収差を排除または少なくとも大部分排除するために、カメラは、精密測定用テレセントリックレンズ（例えば、Ｓｉｌｌ  Ｏｐｔｉｃｓ社製）を備えることができる。
【００２４】
通常、画像センサーを備えるデジタルカメラを使用する。好ましくは、細胞培養プレートの底部を画像センサー表面（チップ傾きとも呼ぶ）に対して調節し、細胞培養プレートを最大限精密に画像センサー（好ましくは、表面および側面）に対して平行に調節するように細胞培養プレートを画像センサーに対して回転する。調節目的のため、ＭＴＰホルダーは、通常、例えば、規定強度で締付けることによって全方向に精密に調節可能である。
【００２５】
ＭＴＰホルダー上に組立てた調節可能な細胞培養プレートと組み合わせてテレセントリックレンズを適用した結果として、＜±２％の歪曲収差、すなわち、ソフトウェアによる補正のないフラットな画像記録を行うことが可能であった。さらに、浅い被写界深度をテレセントリックレンズの絞りによって設定することができ、この結果、例えば、ウェルに対する前述のカバーフィルムが原因である干渉効果を減少させることができる。
【００２６】
本発明による装置は、完全なプレート表面の画像解析を容易にし、例えば、イヌ糸状虫などの微生物（改造限界約１５μｍ）を含む３８４個までのウェルを備える細胞培養プレートに適している。明らかに、溶液中に懸濁された生物または粒子を含有する細胞培養プレートの全面画像を、概して、本発明による装置を用いて記録することができ、画像解析によって処理することができる。
【００２７】
装置の作動中、カメラは、例えば、１〜５秒の時間間隔で、例えば、９６個のウェルを備える細胞培養プレートの底面全体の複数のデジタル画像を記録する。ピクセル解析に基づいてこれらの画像を評価する目的で、各個別のウェルについて、例えば、このウェルにいるイヌ糸状虫が運動する平均速度に関する特定の特徴を立証することができる。このとき、原則に基づいて、効果的活性成分を含むウェル中の平均速度は、活性成分を含まないウェル中より低い。結果的に、活性成分の有効性を平均速度に基づいて推定することができる。これに関連して、活性成分の効果を立証する対応する方法が詳細に記載されている国際公開第２０１６／１１６２９１（Ａ１）号を参照すれば、前記方法に基づいて本発明による装置を操作することが可能である。
【００２８】
全体に均一に照明された細胞培養プレートの場合およびいずれの場合にも同じ程度まで充填された（例えば、いずれの場合にも活性成分を含まない）ウェルの場合に、イヌ糸状虫の運動に関する同じ平均速度は、必要な現在の生物学的変動を排除する場合各ウェルに対して理論的に起こるべきである。対照的に、ウェルの照明が不足すぎる場合、同じ充填にもかかわらず、結果は有意に乖離する。したがって、このように照明された異なる活性成分で充填されたウェルを備える細胞培養プレートの場合には、個々の活性成分に関しての言及は頑強なものではないだろう。しかしながら、本発明による装置の照明機器は、実際には全くなくすことができない照明の差の影響を、非常に小さいイヌ糸状虫の場合でさえ（すなわち、対応する高解像度の場合）、活性成分の効果に関する頑強な言及が可能であるほど小さく維持することを可能とする。
【００２９】
さらに、目的は、その様々な実施形態において上記装置の照明機器の調節方法を提供することにあった。この目的は、請求項１２に記載の特徴組合せにより達成される。本発明による方法の例となる実施形態は、請求項１２に関連する従属クレームから集めることができる。
【００３０】
光源の各々に対して、本発明による方法は、可能な限り均一である細胞培養プレートの個々のウェルの照明を得るために、細胞培養プレートに対する相対的高さ、傾斜角、隣接側面までの水平距離および個別に設定される光強度を提供する。
【００３１】
系統的方法では、個々のパラメーター（高さ、距離、傾斜角、光強度）を各光源に対して繰り返して設定することができ、これらの設定パラメーターを用いて、いずれの場合にも各同等に充填されたウェルについての平均速度の上記立証を行うことが可能である。この方法を要望通りに頻繁に繰り返すことができる。方法において平均速度の立証された結果が乖離しないほど、試験結果に対する細胞培養プレートの均一でない照明の影響は小さくなる。最終的に、結果が生物学的変動に由来し得る程度の大きさでのみ乖離する場合、調節方法を完了することができる。
【００３２】
照明機器の調節方法は、細胞培養プレート上の平面にある単色シート（例えば、さらなる空の細胞培養プレートを挿置したホルダー中にある充填されていない細胞培養プレート上にシートを配置することができる）の画像を作成するのに使用されるカメラおよび画像評価に基づいて実行または改善する調節を提供することができる。例として、光強度のヒストグラムを画像から得ることができ、このヒストグラムに基づいて調節を実行することができる。ヒストグラムが単にこの１つの光強度を有する１つの棒からなることを意味することになる、いずれの場合にも関連するヒストグラムが全サブ領域（これらはデジタル画像の個々のピクセルでもあり得る）に対する同じ光強度を有する場合にシートの均一な照明を提供する。
【００３３】
１つの例となる実施形態では、最初に、同等に充填されたウェルを備える細胞培養プレートの結果によって、加えて、上記シートによって、照明機器を調節する。同等に充填された細胞培養プレートに基づく（第一）調節およびシートによる（後）調節を、継続的および／または逆の順序で複数回実行することができる。
【００３４】
さらに、個々の光源の光強度を、いずれの場合にも同じ大きさにより、または紙の単色シートの画像の平均光強度（例えば、光強度が０〜２５６の値と仮定し得る場合１２８の平均値）に対して所定の値が出るように比例して調節の終わりに減少させることができる。それから、本発明による装置の動作中、細胞培養プレートの各ウェルを、紙シート上の対応する領域を割り当てられる。それから、カメラにより立証されたウェルのピクセルに対する光強度の値を、紙シート上の対応する領域の光強度に基づいて正規化することができる。例として、むしろ紙シートのより明るい方の領域をウェルに対して立証した場合、このウェルに対して立証された光強度の値は正規化により換算される。
【図面の簡単な説明】
【００３５】
本発明は、図に示された例となる実施形態に基づいてより詳細に説明されるべきである。図において：
図１は、本発明による装置の構造を模式的に示す；
図２は、細胞培養プレートおよび４つの光源を備えた照明機器を模式的に示す；ならびに
図３は、図２中線ＩＩＩ−ＩＩＩに沿った断面図を示す。
【００３６】
図１は、水性試験におけるイヌ糸状虫および他生物に対する活性成分の効果を立証するための装置を模式的に示す。その全体を１と表された装置は、上分離板１１および中央分離板１２を備えるハウジング１０を備える。分離板１１、１２は、ハウジング１０により囲まれた内部を、上部領域１３、中央部領域１４および底部領域１５に分割する。カメラ２０は、底部領域１５内で組立てられる。カメラ２０は、カメラ２０から外方を向いているその端部２２がハウジング１０の中央部領域１４に突出しているテレセントリックレンズ２１を備える。中央分離板１２は、レンズ２１が貫通する円形開口部１６を備える。このとき、レンズ２１の円錐台形部分２３は、開口部１６の円形輪郭上に支持されている。
【００３７】
細胞培養プレート５０の照明機器３０およびホルダー４０を、ハウジング１０の上部領域１３内に収容する。照明機器３０、ホルダー４０および細胞培養プレート５０は、図２および３に基づいて以下により詳細にさらに記載される。
【００３８】
カメラ２０に加えて、ハウジング１０の底部領域１５は、カメラ２０および照明機器３０のための制御器６０も収容する。このとき、制御器６０は、カメラ２０および照明機器３０のための別々の制御器からなることができる。制御器６０をコンピュータと連結することができる。
【００３９】
本発明による装置１を用いて、細胞培養プレート５０の底面５１の画像を得ることが可能である。したがって、ガラスパネル１７は、分離板１１に組み込まれる。
【００４０】
図２は、上記の照明機器３０、第一光源３１、第二光源３２、第三光源３３および第四光源３４を備える前記照明機器を示す。第一光源３１は、一列に互いに隣り合って配置され、実質的に第一光源３１の全長にわたって帯状光線３５を発光する複数の発光ダイオード（図示せず）を備える。光線を、平行な矢印３５により図示している。実質的にその全長にわたって、残りの光源３２、３３、３４も、各々、細胞培養プレート５０の方向に帯状光線を発光する。しかしながら、それぞれの光線を標識化する対応する矢印は、明確にするために図２中では図示していない。
【００４１】
既に上記言及した底面５１に加えて、細胞培養プレート５０は、上面５２および第一側面５３、第二側面５４、第三側面５５および第四側面５６を備える。細胞培養プレート５０の四角形基本形状が理由で、反対側面５３、５４は、平行に延在する他の対の側面５５、５６に対して垂直に延在する。
【００４２】
細胞培養プレート５０は、いずれの場合にも１２個のウェルを含む８行に配置された非常に多数のウェル５７を備える。図３から集めることができるように、各個々のウェル５７は、縦断面図においてＵ字形状を有する。このとき、各ウェル５７を、上から、すなわち、上面５２からの水溶液、イヌ糸状虫および前記水溶液中にある活性成分で充填することができる。一旦、充填が完了すれば、ウェルをカバーシートによって覆うことができる。
【００４３】
図２および３全体を見渡して明らかになるように、個々の光源３１、３２、３３、３４は、各々、側面５３、５４、５５、５６を透過して細胞培養プレート５０中に光を発光する。したがって、第一光源からの光は、外側から第一側面５３を透過して細胞培養プレート５０中を通る。同じことが、同様に、光源３２、３３、３４にも当てはまる。細胞培養プレート５０の個々のウェル５７の最良の可能性ある照明を達成するために、光源３１の位置を細胞培養プレート５０に対して修正することができる。
【００４４】
両矢印３６は、細胞培養プレート５０の第一光源３１と第一側面５３の距離を増減することができることを示している。両矢印３７（図３参照）は、第一光源３１を細胞培養プレート５０に対して上下方向に動かすことができることを示している。さらに、第一光源３１を、細胞培養プレート５０の第一側面５３に対して平行に延在する軸線３８に対して傾けることができる。軸線３８またはそれに平行に延在する軸に対して対応する調整可能であることを、湾曲矢印３９により示している。さらに、第一光源３１の光強度を、制御器６０によって設定することができる。それぞれの側面からの水平距離、垂直位置、傾斜角およびそれぞれの光源の光強度を、残りの光源３２、３３、３４の対応する設定パラメーターにより個別に設定することができる。結果的に、例えば、第一光源３１の光強度がこれの横方向に配置された光源３３、３４の光強度だけでなく、反対側の光源３２の光強度からも偏るように照明機器を調節することが可能である。
【００４５】
ホルダー４０は、第一受け隅部４１、第二受け隅部４２、第三受け隅部４３および第四受け隅部４４を備える。好ましくは、４つの受け隅部４１、４２、４３、４４のうち３つを定常止め部として具現化し、残りの４番目の受け隅部をばね付き止め部として具体化する。例えば、第一受け隅部と第二受け隅部の距離は、ウェル５７がある第一側面の領域を妨げずに第一光源３１の光線３５が当たるように寸法を決める。別の表現をすれば、受け隅部４１、４２間の距離は、第一側面５３に沿って延在するウェルの第一列の長さより長い。
【００４６】
より長い側面５５、５６とより短い側面５３、５４の異なる長さが理由で、一方の光源３３、３４および他方の光源３１、３２は、異なる長さを有する。このとき、光源からの光線の幅は、ウェルがある関連する側面の領域の長さより常に長い。
【００４７】
ウェル５７がある細胞培養プレート５０の側面の全領域は、照明機器３０の結果として光源からの光およびホルダー４０の個々の受け隅部の特別な配置により影響を受ける。個々の光源の個別調節できることの結果として、照明機器３０を、ウェル５７のほとんど最適な照明を達成するように調節することができる。可能な限り最適である照明に対する好ましいモニタリングの判断基準は、既に上記に記載している。その個々のウェルがいずれの場合にも同じ活性成分で充填された細胞培養プレートにおけるウェル固有の結果がいずれの場合にも同じ活性成分の有効性に対して乖離しないかまたは生物有機体が理由で推定標準偏差に近似的に相当する標準偏差を有する場合、最適な照明を想定することができる。
【符号の説明】
【００４８】
１  装置
１０  ハウジング
１１  上分離板
１２  中央分離板
１３  上部領域
１４  中央部領域
１５  底部領域
１６  開口部
１７  ガラス板
２０  カメラ
２１  レンズ
２２  端部
２３  円錐台形領域
３０  照明機器
３１  第一光源
３２  第二光源
３３  第三光源
３４  第四光源
３５  矢印（光線）
３６  両矢印
３７  両矢印
３８  矢印
４０  ホルダー
４１  第一受け隅部
４２  第二受け隅部
４３  第三受け隅部
４４  第四受け隅部
５０  細胞培養プレート
５１  底面
５２  上面
５３  第一側面
５４  第二側面
５５  第三側面
５６  第四側面
５７  ウェル
６０  制御器
【図１】
2020501138.tif 000003
【図２】
2020501138.tif 000004
【図３】
2020501138.tif 000005
【国際調査報告】
2020501138.tif 000006
2020501138.tif 000007
2020501138.tif 000008
2020501138.tif 000009